(57)【特許請求の範囲】
【請求項１】
光ファイバケーブル（２）を他の光ファイバ（５）と光接続するための光ファイバケーブル成端箱（１）であって、
複数の光コネクタ（６）を支持するコネクタ支持部（７）を一端部に有し、しかも、一端が光ファイバケーブルから導出された導出光ファイバ（３）と光接続され、他端が前記光コネクタを介して複数本の他の光ファイバと光接続される輻輳用光ファイバ（４）の前記光コネクタに接続した余長（８）を収納可能に構成された収納トレー（９）を、それぞれのコネクタ支持部を同一の向きに揃えて複数枚積層状態に支持する収納トレー支持部（１０）と、
導出光ファイバと輻輳用光ファイバとの光接続部（１３）と、導出光ファイバ及び輻輳用光ファイバの接続余長（１４、１５）とを収納する輻輳用トレー（１６）を複数枚積層状態として支持する輻輳用トレー支持部（１７）とを具備し、
前記収納トレー支持部に積層された収納トレー間は、収納トレー支持部に設置した移動支持手段（１１、１２）によって互いに接近離間する方向に相対移動可能とされ、
前記導出光ファイバは、前記収納トレーに導入された前記輻輳用光ファイバを経由して前記コネクタ支持部の光コネクタを介して複数本の前記他の光ファイバと光接続されるようになっていることを特徴とする光ファイバケーブル成端箱。
【請求項２】
前記導出光ファイバが複数心光ファイバテープ心線であり、
前記輻輳用光ファイバは、導出光ファイバと光接続される端部とは逆の側が、該輻輳用光ファイバの中間部に設けられた分岐固定部（２５）によって複数本の単心光ファイバ（３６）に分岐され、前記単心光ファイバの先端は前記光コネクタに挿抜自在に成端されており、前記単心光ファイバが前記光コネクタを介して前記他の光ファイバに対して切り替え可能に光接続されるようになっており、
前記収納トレーに、前記輻輳用光ファイバの前記分岐固定部が前記単心光ファイバの余長とともに収納されていることを特徴とする請求項１記載の光ファイバケーブル成端箱。
【請求項３】
前記収納トレーは、断面コ字状の基板（２１）を有し、この基板の一端部には前記コネクタ支持部を構成するコネクタ支持板（２２）が固定され、基板の中央部には前記輻輳用光ファイバの分岐固定部を支持する分岐部ホルダ（２６）が設けられていることを特徴とする請求項１又は２記載の光ファイバケーブル成端箱。
【請求項４】
定位置に安定に固定されるベース（１９）上に、積層の最下段の収納トレーを前記ベースに相対回動自在にベースに連結するヒンジ（１１）と、前記輻輳用トレー支持部に積層した複数枚の輻輳用トレーを積層状態を保持したままベースに対して相対回動させるための主ヒンジ（３０）とが取り付けられており、
前記収納トレー間はヒンジ（１２）によって連結されており、
積層の互いに隣接する輻輳用収納トレー同士は、回動連結具（３２）によって前記主ヒンジと平行な軸線を以て相対回動自在に連結されていることを特徴とする請求項１〜３のいずれかに記載の光ファイバケーブル成端箱。
【請求項５】
前記輻輳用トレー支持部には、前記主ヒンジを介してベースに回動自在に連結され、輻輳用収納トレーの積層状態を保持したままベースからベースに垂直まで回動させる回動板（２９）が設けられていることを特徴とする請求項４記載の光ファイバケーブル成端箱。
【発明の詳細な説明】
【０００１】
【発明の属する技術分野】
本発明は、光ファイバケーブルを他の光ファイバと光接続するための光ファイバケーブル成端箱に関する。
【０００２】
【従来の技術】
光ファイバケーブルから導出した導出光ファイバを別の光ファイバと接続する光ファイバケーブル成端箱としては、従来、光コネクタや融着接続部といった光接続部および接続余長を複数の光接続部収納トレー等に整理して収納した構成が一般的である。導出光ファイバが複数心光ファイバテープの場合は、光ファイバテープを引き裂いて単心に分岐し、別の単心光ファイバと単心融着接続することが一般的である。
【０００３】
【発明が解決しようとする課題】
ところで、前記のような光ファイバケーブル成端箱の場合、特に複数心光ファイバテープの導出光ファイバについては、融着接続数が膨大になり接続作業が大変であるとともに、収納が難しい極細の単心光ファイバを成端箱内に膨大な本数を収納しなければならず、成端箱の大型化や取り付け作業能率の低下の原因になっていた。
【０００４】
本発明は、前述の課題に鑑みてなされたもので、より多心の光ファイバケーブルを成端することができ、しかもコンパクト化が容易な光ファイバケーブル成端箱を提供することを目的とするものである。
【０００５】
【課題を解決するための手段】
本発明の光ファイバケーブル成端箱では、
複数の光コネクタを支持するコネクタ支持部を一端部に有し、しかも、一端が光ファイバケーブルから導出された導出光ファイバと光接続され、他端が前記光コネクタを介して複数本の他の光ファイバと光接続される輻輳用光ファイバの前記光コネクタに接続した余長を収納可能に構成された収納トレーを、それぞれのコネクタ支持部を同一の向きに揃えて複数枚積層状態に支持する収納トレー支持部と、
導出光ファイバと輻輳用光ファイバとの光接続部と、導出光ファイバ及び輻輳用光ファイバの接続余長とを収納する輻輳用トレーを複数枚積層状態として支持する輻輳用トレー支持部とを具備し、
前記収納トレー支持部に積層された収納トレー間は、収納トレー支持部に設置した移動支持手段によって互いに接近離間する方向に相対移動可能とされ、前記導出光ファイバは、前記収納トレーに導入された前記輻輳用光ファイバを経由して前記コネクタ支持部の光コネクタを介して複数本の前記他の光ファイバと光接続されるようになっていることを前記課題の解決手段とした。
請求項２記載の発明は、請求項１記載の光ファイバケーブル成端箱において、前記導出光ファイバが複数心光ファイバテープ心線であり、前記輻輳用光ファイバは、導出光ファイバと光接続される端部とは逆の側が、該輻輳用光ファイバの中間部に設けられた分岐固定部によって複数本の単心光ファイバに分岐され、前記単心光ファイバの先端は前記光コネクタに挿抜自在に成端されており、前記単心光ファイバが前記光コネクタを介して前記他の光ファイバに対して切り替え可能に光接続されるようになっており、前記収納トレーに、前記輻輳用光ファイバの前記分岐固定部が前記単心光ファイバの余長とともに収納されていることを特徴とする。
請求項３記載の発明は、請求項１又は２記載の光ファイバケーブル成端箱において、前記収納トレーは、断面コ字状の基板を有し、この基板の一端部には前記コネクタ支持部を構成するコネクタ支持板が固定され、基板の中央部には前記輻輳用光ファイバの分岐固定部を支持する分岐部ホルダが設けられていることを特徴とする。
請求項４記載の発明は、請求項１〜３のいずれかに記載の光ファイバケーブル成端箱において、定位置に安定に固定されるベース上に、積層の最下段の収納トレーを前記ベースに相対回動自在にベースに連結するヒンジと、前記輻輳用トレー支持部に積層した複数枚の輻輳用トレーを積層状態を保持したままベースに対して相対回動させるための主ヒンジとが取り付けられており、前記収納トレー間はヒンジによって連結されており、積層の互いに隣接する輻輳用収納トレー同士は、回動連結具によって前記主ヒンジと平行な軸線を以て相対回動自在に連結されていることを特徴とする。
請求項５記載の発明は、請求項４記載の光ファイバケーブル成端箱において、前記輻輳用トレー支持部には、前記主ヒンジを介してベースに回動自在に連結され、輻輳用収納トレーの積層状態を保持したままベースからベースに垂直まで回動させる回動板が設けられていることを特徴とする。
【０００６】
【発明の実施の形態】
以下本発明の光ファイバケーブル成端箱の実施の形態を、図１から図３を参照して説明する。
図中符号１は、本実施の形態の光ファイバケーブル成端箱である。前記光ファイバケーブル成端箱１は、図１および図２に示すように、一端が光ファイバケーブル２から導出された導出光ファイバ３と光接続され、他端が光コネクタ６を介して複数本の光ファイバ心線（他の光ファイバ）５と光接続される輻輳用光ファイバ４の余長８を収納可能に構成され、かつ光コネクタ６を支持するコネクタ支持部７を一端部に有する収納トレー９を、それぞれのコネクタ支持部７を同一の向きに揃えて複数枚積層状態として支持する収納トレー支持部１０を、筐体１８内に具備した構成とされている。収納トレー支持部１０に積層された各収納トレー９間は、ヒンジ１１、１２を介して連結されることにより、互いに接近離間する方向に相対回動可能とされている。筐体１８内には、導出光ファイバ３と輻輳用光ファイバ４とを融着接続する輻輳用融着接続部１３および導出光ファイバ３、輻輳用光ファイバ４の接続余長１４、１５を収納する輻輳用トレー１６を複数枚積層状態として支持する輻輳用トレー支持部１７が、収納トレー支持部１０に隣設して収納されている。
【０００７】
前記筐体１８は、定位置に安定に固定されるベース１９を有している。該ベース１９上には、積層の最下段の収納トレー９をベース１９に相対回動自在にベース１９に連結するヒンジ１１や、積層した複数枚の輻輳用トレー１６を積層状態を保持したままベース１９に対して相対回動させるための主ヒンジ３０が取り付けられている。
ベース１９の収納トレー支持部１０の側方に位置する一側部には、筐体１８内部に導入された光ファイバケーブル２を固定するためのケーブル固定具２０が取り付けられている。このケーブル固定具２０は、光ファイバケーブル２の外装シース２ａを固定するシース固定金具２０ａと、このシース固定金具２０ａから離間して配置されて光ファイバケーブル２から導出したテンションメンバ２ｂを固定するテンションメンバ固定金具２０ｂとを具備した構成とされている。ケーブル固定具２０における光ファイバテープ２の把持軸線は、収納トレー支持部１０におけるコネクタ支持部７の光コネクタ６の光接続軸線と互いに平行とされている。
【０００８】
筐体１８の側壁部１８ａには、光ファイバケーブル２が挿通される挿通穴１８ｂおよび光ファイバ心線５が挿通される光ファイバ心線挿通穴１８ｃが開口されている。ベース１９の光ファイバ心線挿通穴１８ｃ近傍には、光ファイバ心線５をクランプ固定するクランプ固定具１８ｄが複数設置されている。
ベース１９の収納トレー支持部１０と輻輳用トレー支持部１７との間には、後述する主ヒンジ３０や回動連結具３２の作用によって回動する輻輳用収納トレー１６をガイドして、収納トレー支持部１０との干渉を防止するトレー受け１９ａが固定されている。
【０００９】
収納トレー９は、図３に示すように、断面コ字状の基板２１を主体として構成されている。この基板２１のコ字の背側の側面の一端部には、前記コネクタ支持部７を構成するコネクタ支持板２２が固定されている。コネクタ支持板２２は、両端が基板２１の両フランジ２３に対して垂直な面方向に沿って、基板２１の上面２４（背側の面）上に立設状態に固定されている。コネクタ支持板２２には、複数の光コネクタ６がその長手方向に１列に連設されている。
光コネクタ６は、ＳＣ形アダプタであって、その光接続軸線がコネクタ支持板２２と垂直とされ、かつコネクタ支持板２２の両側から成端した輻輳用光ファイバ４、光ファイバ心線５が挿抜可能としてコネクタ支持板２２に支持されている。光コネクタ６の収納トレー９外側に臨む端子にはプラグ成端された光ファイバ心線５が挿抜され、収納トレー９内側に臨む端子にはプラグ成端された輻輳用光ファイバ４が挿抜されるようになっている。
なお、光コネクタ６としては、他の形態のアダプタであっても構わない。
【００１０】
基板２１の中央部には、輻輳用光ファイバ４の分岐固定部２５を支持する分岐部ホルダ２６が設けられている。この分岐部ホルダ２６は、弾性材料から形成され、自身の弾性によって分岐固定部２５を着脱自在にクランプ支持するクランプ溝２７が基板２１の上面２４に沿って複数並列に形成された構成とされている。基板２１の前記コネクタ支持部７と対向する反対側の端部には、収納トレー９に導入する輻輳用光ファイバ４を把持する押え部材２８が設けられている。
【００１１】
積層された全ての収納トレー９は、図１および図２に示すように、同等の大きさに形成され、コネクタ支持板２２同士、同一の側にあるフランジ２３同士がそれぞれ面一となるように積層される。積層の最下層にある収納トレー９は、ヒンジ１１を介して基板２１の上面２４に対して平行な軸線を以て相対回動可能として連結されている。各収納トレー９間を連結するヒンジ１２は、全て前記最下層の収納トレー９と基板２１とを連結するヒンジ１１と同一の収納トレー支持部１０側面上に配置され、かつ互いに平行な軸線を以て収納トレー９間を相対回動自在に連結している。
なお、図示した光ファイバケーブル成端箱１には、収納トレー支持部１０に計４枚の収納トレー９が積層されているが、収納トレー支持部１０における収納トレー９の積層数はさらに多数であってもよい。
【００１２】
前記輻輳用トレー支持部１７には、上面に装着された輻輳用収納トレー１６の積層状態を保持したままベース１９からベース１９に垂直まで回動させる回動板２９が設けられている。この回動板２９は、主ヒンジ３０を介してベース１９に回動自在に連結されている。回動板２９の回動中心から最も離間した端部には、当該回動板２９を回動操作するための手動操作ツマミ３１が突設されている。手動操作ツマミ３１は、回動板２９上面に輻輳用収納トレー１６を装着した際にも露出するようになっている。
積層の互いに隣接する輻輳用収納トレー１６同士は、前記主ヒンジ３０と平行な軸線を以て相対回動自在に連結する回動連結具３２によって連結されている。全ての回動連結具３２は、同一平面上に設けられている。
【００１３】
輻輳用収納トレー１６は、プラスチック等の成形の容易な材料によって薄板状に形成されている。輻輳用収納トレー１６は、内部に形成された融着部把持部３３によって、輻輳用融着接続部１３を着脱自在に把持するようになっている。また、収納トレー９は、概略楕円形に形成された側壁部３４と、内部に突設された複数の把持爪３５とによって、導出光ファイバ３と輻輳用光ファイバ４のそれぞれの接続余長１４、１５を規定以上の湾曲半径で収納するようになっている。
【００１４】
前記輻輳用光ファイバ４は、中間部に設けられた分岐固定部２５によって、一端が複数本の単心光ファイバ３６に分岐されている。輻輳用光ファイバ４の心数は、導出光ファイバ３と同等である。輻輳用光ファイバ４の他端は、融着接続するだけで導出光ファイバ３と光接続されるようになっている。単心光ファイバ３６の先端は、光コネクタ６に挿抜自在に成端されている。なお、輻輳用光ファイバ４の他端と導出光ファイバ３との光接続は、融着以外、コネクタ接続であってもよい。
【００１５】
以下、本実施の形態の光ファイバケーブル成端箱１の作用および効果を説明する。
光ファイバケーブル成端箱１は、ケーブル固定具２０に固定した光ファイバケーブル２から導出した導出光ファイバ３に輻輳用光ファイバ４を融着接続し、輻輳用融着接続部１３および導出光ファイバ３、輻輳用光ファイバ４の接続余長１４、１５を各輻輳用収納トレー１６に整理して収納し、さらに、輻輳用光ファイバ４の分岐固定部２５および余長８を各収納トレー９に整理して収納し、単心光ファイバ３６と光ファイバ心線５とを光コネクタ６を介して接続切り替え可能に光接続する。
【００１６】
収納トレー９に収納する輻輳用光ファイバ４を変更する場合には、ヒンジ１１、１２による収納トレー９間の相対回動を利用して目的の収納トレー９の作業面を露出させて作業を行う。この際、輻輳用光ファイバ４の余長８を収納する基板２１と光コネクタ６とが一体的に回動するので、収納トレー支持部１０に配線される輻輳用光ファイバ４同士や光ファイバ心線５同士に絡み等を生じることが防止される。また、輻輳用収納トレー１６に収納する輻輳用融着接続部１３を変更する場合には、回動連結具３２による輻輳用収納トレー１６間の相対回動を利用して目的の輻輳用収納トレー１６の作業面を露出させて作業を行う。こうすることにより、光ファイバ心線５と単心光ファイバ３６との接続切り替えを簡便に行うことができる。
また、光ファイバケーブル成端箱１は、筐体１８を垂直に設置する場合には、回動板２９を回動して各輻輳用収納トレー１６を水平に保持する。
【００１７】
したがって、前記光ファイバケーブル成端箱１によれば、導出光ファイバ３を輻輳用光ファイバ４を経由して光ファイバ心線５と光接続したことにより、融着接続箇所を大幅に減少することができるので、光ファイバケーブル２への取り付けの作業能率が大幅に向上するとともに、収納すべき輻輳用融着接続部１３の数およびそれに伴う接続余長１４、１５や単心光ファイバ３６の余長８も大幅に減少して筐体１８を小型化することができる。
また、それぞれコネクタ支持部７を有する複数の収納トレー９に輻輳用光ファイバ４の分岐固定部２５および余長８を整理して収納したので、収納トレー９を回動した際にも光ファイバ心線５と単心光ファイバ３６との接続の組が分かりやすく、接続切り替え等の作業能率が向上する。
【００１８】
なお、前記コネクタ支持部における収納トレー間の相対移動は、移動支持手段を変更することによって収納トレーの厚さ方向への移動や面方向へのスライド移動としてもよい。
【００１９】
【発明の効果】
以上説明したように、本発明の光ファイバケーブル成端箱によれば、導出光ファイバを輻輳用光ファイバを経由して他の光ファイバと光接続したことにより融着接続箇所を大幅に減少したので、光ファイバケーブルへの取り付けの作業能率が大幅に向上するとともに、収納すべき輻輳用光ファイバと導出光ファイバとの光接続部の数およびそれに伴う接続余長も大幅に減少して小型化が容易に出来、さらに、それぞれコネクタ支持部を有する複数の収納トレーに輻輳用光ファイバを整理して収納したので、収納トレーを回動した際にも導出光ファイバと接続すべき光ファイバと輻輳用光ファイバとの接続の組が分かりやすく、接続切り替え等の作業能率が向上するといった優れた効果を奏する。
【図面の簡単な説明】
【図１】  本発明の光ファイバケーブル成端箱の一実施例を示す平面図である。
【図２】  本発明の光ファイバケーブル成端箱の一実施例を示す側面図である。
【図３】  図１の光ファイバケーブル成端箱の収納トレーを示す拡大斜視図である。
【符号の説明】
１…光ファイバケーブル成端箱、２…光ファイバケーブル、３…導出光ファイバ、４…輻輳用光ファイバ、５…光ファイバ心線、６…光コネクタ、７…コネクタ支持部、９…収納トレー、１０…収納トレー支持部、１１…移動支持手段（ヒンジ）、１２…移動支持手段（ヒンジ）。
【図１】
0003768273.tif 000002
【図２】
0003768273.tif 000003
【図３】
0003768273.tif 000004